(57)【特許請求の範囲】
【請求項１】
躯体に形成された開口を塞ぐことで止水養生させてなる開口の止水養生構造であって、
前記開口の内側に前記躯体から所定の隙間をもって配置された養生床と、
前記養生床の外周に沿うようにして前記隙間に配置されたチューブ体と、
前記養生床に固定されていて平面視で前記躯体に対して重なるように横方向に張り出すと共に、移設時に外方端部を前記養生床の外周より内側へ収納可能な張出係止部材と、
が設けられ、
前記チューブ体の内部に空気を送り込んで膨張させ、前記チューブ体を前記躯体の開口側端面に密着させるように構成されていることを特徴とする開口の止水養生構造。
【請求項２】
前記チューブ体は、一端が前記養生床の外周に平行な軸線を中心にして回動可能に前記養生床面に固定された連結部材に連結され、該連結部材の回動により前記隙間に配置される水平位置から前記養生床の外周より内側となる前記養生床上の収納位置に収納されることを特徴とする請求項１に記載の開口の止水養生構造。
【請求項３】
躯体に形成された開口に配置される養生床と、
該養生床の外周に沿うように配置されるチューブ体と、
前記養生床に固定されていて所定長さをもって横方向に張り出すと共に、移設時に外方端部を前記養生床の外周より内側へ収納可能な張出係止部材と、
を備えてなる止水養生構造を形成する止水養生方法であって、
前記張出係止部材を前記躯体に載置するようにして係止させることで、前記開口の内側に前記躯体から所定の隙間をもって前記養生床を配置させ、
前記隙間にチューブ体を配置し、該チューブ体の内部に空気を送り込んで膨張させて前記躯体の開口側端面に密着させるようにしたことを特徴とする止水養生方法。
【請求項４】
前記チューブ体を備えた前記養生床を移設するときには、前記チューブ体の空気を抜いて前記隙間から取り出し、移設手段によって前記養生床を移設するようにしたことを特徴とする請求項３に記載の止水養生方法。
【発明の詳細な説明】
【技術分野】
【０００１】
本発明は、建築工事の躯体などに形成される開口を止水するための止水養生構造及び止水養生方法に関する。
【背景技術】
【０００２】
従来、建築工事において、エレベータの設置箇所などの躯体開口は、躯体施工中の最上階から最下階まで連続して設けられている。そのため、降雨時には、その開口から水が躯体内に浸入してくることになる。一般的に、仕上げ工事を行う施工面に雨水が浸入すると、仕上げ工事が実施できなくなることから、作業工程に支障が出て工期が長くなる原因になっていた。
このため、雨水が開口より浸入しないように、途中階に止水養生を施したフロア（これを「止水階」という）を設けている。止水養生方法として、開口の周囲に柱材を組み立て、その柱材の上端に屋根を架けるようにしてシート材で開口を覆う方法が一般的に行なわれている。これにより、止水階より上階から浸入してくる雨水を止めることができ、止水階より下階では仕上げ工事を行うことができる。そして、躯体工事の進捗に伴って、この止水養生を施す止水階も上階へと盛り替えていくようにする。
また、このような従来の止水養生のほかに開口を止水養生する技術が、例えば特許文献１に提案されている。
特許文献１は、液物の流入により膨張すると共に長手方向に伸長するチューブ体を、地下通路などの入口にその開口を塞ぐように複数配置させたものである。チューブ体の両端には取り付け用の連結金具（支承手段）が固定されていて、開口側には支承手段に支承される取付金具を固定させておき、この取付金具にチューブ体の連結金具を固定する。そして、チューブ内に液物を流入させることで、チューブ体が膨らんで開口部を閉塞する堰を設置するものである。
【特許文献１】特開２００６−９５０６号公報
【発明の開示】
【発明が解決しようとする課題】
【０００３】
しかしながら、特許文献１は、チューブ体の連結金具に固定される取付金具を開口に予め設置しておく必要があり、建築工事の躯体開口などのように、開口数が多くある場合や、工事の進捗に伴って順次盛り替える必要がある場合などでは、移設に手間と時間がかかり、工期に影響を及ぼすといった問題があった。そして、同じく建築工事の躯体開口に適用する場合には、開口に取付金具を固定する作業やチューブ体を開口に配置する作業といった開口部における作業が多く、墜落、飛来落下といった危険作業を伴い、安全性に問題があった。
また、従来の柱材とシート体によって組み立てられる止水養生方法においても、特許文献１と同様であり、複数の柱材を組み立ててシート体を柱材に連結する作業は、多くの手間がかかる作業であるため、頻繁に移設することが敬遠されることになり、その結果、仕上げ工事の開始が遅れる原因となっていた。
【０００４】
本発明は、上述する問題点に鑑みてなされたもので、移設作業において、手間と時間を削減することで工期への影響を少なくし、しかも安全性を向上させるようにした開口の止水養生構造及び止水養生方法を提供することを目的とする。
【課題を解決するための手段】
【０００５】
上記目的を達成するため、本発明に係る開口の止水養生構造は、躯体に形成された開口を塞ぐことで止水養生させてなる開口の止水養生構造であって、開口の内側に躯体から所定の隙間をもって配置された養生床と、養生床の外周に沿うようにして隙間に配置されたチューブ体と、養生床に固定されていて平面視で躯体に対して重なるように横方向に張り出すと共に、移設時に外方端部を養生床の外周より内側へ収納可能な張出係止部材とが設けられ、チューブ体の内部に空気を送り込んで膨張させ、チューブ体を躯体の開口側端面に密着させるように構成されていることを特徴としている。
また、本発明に係る止水養生方法では、躯体に形成された開口に配置される養生床と、養生床の外周に沿うように配置されるチューブ体と、養生床に固定されていて所定長さをもって横方向に張り出すと共に、移設時に外方端部を養生床の外周より内側へ収納可能な張出係止部材とを備えてなる止水養生構造を形成する止水養生方法であって、張出係止部材を躯体に載置するようにして係止させることで、開口の内側に躯体から所定の隙間をもって養生床を配置させ、隙間にチューブ体を配置し、チューブ体の内部に空気を送り込んで膨張させて躯体の開口側端面に密着させるようにしたことを特徴としている。
本発明では、養生床に設けられた張出係止部材を開口周りの躯体に載置するように係止させることで開口の所定位置に養生床とチューブ体とを配置し、その後、チューブ体を膨張させて躯体の開口側端面に密着させることで、開口を密閉状態で止水養生することができる。このように設置、移設作業が簡略化されたことで、従来のように複数の部材を開口部で組み立てるような止水養生を行う必要がなくなる。そして、例えば建築工事の進捗状況に応じて頻繁に移設することができることから、仕上げ工事の開始を早めることができる。
【０００７】
また、本発明に係る開口の止水養生構造では、一端が前記養生床の外周に平行な軸線を中心にして回動可能に養生床面に固定された連結部材に連結され、連結部材の回動により隙間に配置される水平位置から養生床の外周より内側となる養生床上の収納位置に収納されることが好ましい。
本発明では、止水養生構造の移設時に、躯体と養生床との間の隙間からチューブ体を取り出して養生床上に収納させることで養生床の外周にチューブ体が配置されない状態となり、例えば移設作業中にチューブ体が躯体の開口側端面に接触して損傷するといったことを防止できる。
【００１０】
また、本発明に係る止水養生方法では、チューブ体を備えた養生床を移設するときには、チューブ体の空気を抜いて隙間から取り出し、移設手段によって養生床を移設することが好ましい。
本発明では、膨張した状態で配置されているチューブ体の空気を抜いて躯体と養生床との間の隙間からチューブ体を取り出し、例えば養生床に収納させておくことで、移設作業中にチューブ体が躯体の開口側端面と接触するなどして損傷するといったことを防止できる。
【発明の効果】
【００１２】
本発明の開口の止水養生構造及び止水養生方法によれば、養生床に設けられた張出係止部材を開口周りの躯体に載置するように係止させて開口の所定位置に養生床とチューブ体とを配置し、その後、チューブ体を膨張させて躯体の開口側端面に密着させることで、開口を密閉状態で止水養生することができる。このように設置、移設作業が簡略化されたことで、従来のように複数の部材を開口部で組み立てるような止水養生を行なう必要がなくなる。このため、移設作業における手間と時間を削減でき、工期に与える影響を少なくすることができる。さらに、頻繁に移設を繰り返すことができるため、仕上げ工事の開始を早めるといった効果を奏する。
また、止水養生構造の設置や移設における作業は、例えば吊上げ設備を用いて所定の箇所に配置するだけの作業であり、開口部で組立作業や解体作業を行うことなく移設できることから、危険作業がなくなり、作業の安全性を向上させることができる。
【発明を実施するための最良の形態】
【００１３】
以下、本発明の開口の止水養生構造及び止水養生方法の実施の形態について、図１乃至図５に基づいて説明する。
図１は本発明の実施の形態による止水養生構造を示す平面図、図２は図１に示す止水養生構造のＡ−Ａ線断面図、図３は止水養生構造の断面図であって（ａ）は図１に示すＢ−Ｂ線断面図、（ｂ）は図１に示すＣ−Ｃ線断面図、図４はチューブ体の配置状態を示す平面図、図５はチューブ体の設置状態を示す拡大断面図である。
【００１４】
図１に示すように、本実施の形態による止水養生構造１は、建築工事の躯体２に形成されるエレベータ開口などであって、躯体施工中の最上階から最下階まで連続して設けられている開口Ｒを塞いで止水するものである。ここで、止水養生構造１が設けられるフロアーを「止水階Ｆ」として以下説明する。
【００１５】
止水養生構造１は、四角形状の平板をなしていて開口Ｒの内側に躯体２から所定の隙間Ｓをもって配置される養生床１０と、この隙間Ｓにおいて養生床１０の三辺の外周部１０ａに沿うように長手方向が配置されてなるチューブ体２０と、養生床１０の残る一辺の外周部１０ｂに設けられている止水部材３０とから概略構成されている。このとき、詳しくは後述するが、チューブ体２０は、膨張した状態で養生床１０および躯体２の開口側端面２ａに対して隙間なく密着した状態となっている（図２参照）。
そして、これら養生床１０、チューブ体２０及び止水部材３０は、予め開口Ｒの大きさに合わせて、一体に組み立てておくようにする。ここで、隙間Ｓについて、チューブ体２０が配置される隙間を第一隙間Ｓ１とし、止水部材３０が配置される隙間を第二隙間Ｓ２とする。
【００１６】
図１及び図３（ａ）に示すように、養生床１０の上面外周部１０ｃには、養生床１０から横方向外方に向けて張り出し可能な張出係止部材１１が所定の箇所に設けられている。この張出係止部材１１は、例えば鋼材などが使用され、その一端１１ａが養生床１０に固定され、他端（外方端部１１ｂ）が、平面視で開口周部の躯体２に重なる長さ寸法をもって張り出している。そして、張出係止部材１１の外方端部１１ｂを躯体２に載置するようにして係止させることで、養生床１０を開口Ｒに固定状態で配設させることができる。
また、移設時において、この張出係止部材１１は、外方端部１１ｂを養生床１０の外周より内側となるように収納させるようにする。
なお、張出係止部材１１の高さは、養生床１０の床面１０ｄに対して後述する連結部材４０を回動させて収納位置Ｇ２に移動させる際のチューブ体２０に干渉しないような高さとすることが好ましい（図３（ａ）、図５参照）。
【００１７】
また、図１の紙面における養生床１０の上部中央部には、スライド式で開閉可能な開閉蓋１２が設けられている。これにより、例えば資材の搬入出の際に、開閉蓋１２を図１の矢印Ｅ方向にスライドさせて養生床１０内に開口部１０Ａを設けることができる。図３（ｂ）に示すように、この開閉蓋１２は、そのスライド方向（矢印Ｅ方向）に転動する車輪１２ａを備え、養生床１０の床面１０ｄに敷設されたスライドレール１３に沿って移動させることができる。なお、この開閉蓋１２は、資材の搬入出がなく不要な場合には設けなくてもよく、また任意の箇所に設置することができる。
【００１８】
図４及び図５に示すように、チューブ体２０は、例えばゴム状の材料が使用され、コンプレッサなどでチューブ体２０の内側に空気を送り込むことによって円柱形状に膨張する。また、このチューブ体２０は、例えば膨張時の外径寸法で直径２００ｍｍ、長さ６００ｍｍ又は４５０ｍｍの単体チューブ体２０Ａを任意に組み合わせて直列に連結させ、養生床１０の周囲に配置させることができる。すなわち、複数種類の長さを有する単体チューブ体２０Ａ、２０Ａ、・・・を製作しておくことで、様々な大きさの開口Ｒに対応することができる。
【００１９】
そして、図５に示すように、これらの単体チューブ体２０Ａは、外径寸法より少し大きな径をなす例えばビニール製からなるホース（図示省略）に直列に挿入されて一体に連結されている。このようにホースに挿入された状態のチューブ体２０の上端には、長尺平板をなす取付プレート２１が固着されている（図１参照）。ここで、チューブ体２０側の第一隙間Ｓ１の寸法（躯体２の開口側端面２ａと養生床１０との間隔）は、膨張した状態のチューブ体２０の外径寸法より小さくなるようにしておく。これにより、チューブ体２０は、萎んだ状態（図５に示す二点鎖線のチューブ体２０の状態）から膨張させた状態としたとき、躯体２の開口側端面２ａに密着し、この第一隙間Ｓ１において止水状態となる。
【００２０】
また、図５に示すように、チューブ体２０は、養生床１０の適宜箇所に設けられている連結部材４０によって連結されている。この連結部材４０は、一端４０ａが床面１０ｄに固定され、他端４０ｂがチューブ体２０の取付プレート２１に固着されている。そして、連結部材４０は、一端４０ａを支点にして、チューブ体２０が第一隙間Ｓ１に配置される位置をなす止水位置Ｇ１から収納位置Ｇ２に向かう方向（矢印Ｇ方向）に往復回動する。例えば、止水養生構造１をほかの開口に移設する場合には、チューブ体２０が第一隙間Ｓ１に配置されている状態で連結部材４０が養生床１０側に回動すると、チューブ体２０は養生床１０（収納位置Ｇ２）に収納された状態となる。
【００２１】
図１及び図３（ｂ）に示すように、止水部材３０は、弾力性を有するゴム材料が使用され、養生床１０の両側に設けられる一対の隙間Ｓ１、Ｓ２のうち第二隙間Ｓ２に設けられている。この止水部材３０が配置される第二隙間Ｓ２は、チューブ体２０が配置される隙間Ｓ１より小さく、止水部材３０と躯体２の開口側端面２ａと接する程度とされる。そして、止水部材３０は、養生床１０を挟んで反対側のチューブ体２０が膨張したときの膨張力により押圧され、躯体２の開口側端面２ａに密着し、この第二隙間Ｓ２において止水態となる。このように、養生床１０の全周にチューブ体２０が設けられていない場合であっても、全周にある場合と同様の止水効果が得られる。そのため、チューブ体２０を養生床１０の全周に設ける必要がなくなってチューブ体２０の設置数を削減でき、コストを低減させることができる。
【００２２】
次に、止水養生構造１を使用した止水養生方法について図面に基づいて説明する。
図４に示すように、養生床１０の外周部１０ａ、１０ｂに連結部材４０を介して複数の単体チューブ体２０Ａ及び止水部材３０を配置して一体に組み立てておく。このとき、チューブ体２０には空気が充填されていない萎んだ状態であり、図５に示す二点鎖線の収納位置Ｇ２に配置しておく。そして、図１に示すように、止水階Ｆにおいて、養生床１０を例えば図示しないクレーン（移設手段、吊上げ設備）などで上方から吊り上げながら開口Ｒに所定の隙間Ｓをもって配置する。このとき、所定箇所に設けられた張出係止部材１１を外方に張り出し、その外方端部１１ｂを躯体２に載置させて養生床１０を固定させる。その後、連結部材４０を回動させてチューブ体２０を収納位置Ｇ２から止水位置Ｇ１に移動し、チューブ体２０を第一隙間Ｓ１に配置させる（図５参照）。
【００２３】
次いで、図３（ｂ）に示すように、チューブ体２０に空気を送り込んで膨張させると、チューブ体２０が配置されている第一隙間Ｓ１はチューブ体２０によって塞がれ、チューブ体２０は躯体２の開口側端面２ａに密着する。このチューブ体２０の膨張と同時に、養生床１０は止水部材３０側に移動し、この止水部材３０が躯体２の開口側端面２ａに密着して第二隙間Ｓ２が塞がって止水養生構造１が形成され、雨水などを止水することができる。
【００２４】
次に、止水養生構造１の移設方法について図面に基づいて説明する。
本実施の形態による移設作業は、止水養生構造１が設置されている止水階Ｆの開口Ｒに対して、同軸をなし上方に形成されている同形状の開口に移設するものである（図１参照）。
先ず、図５に示すように、チューブ体２０の空気を抜き、そのチューブ体２０を連結部材４０を用いて止水位置Ｇ１から収納位置Ｇ２に収納させる。これにより、移設作業中にチューブ体２０が躯体２の開口側端面２ａと接触して損傷するといったことを防止できる。
そして、設置したときと同様にクレーン（図示省略）などを使用して上方から養生床１０を吊り上げると共に、外方に張り出した張出係止部材１１を養生床１０内に縮め、移設先の開口へ移動する。そして、所定の第一及び第二隙間Ｓ１、Ｓ２を確保した状態で養生床１０を配置し、上述した止水養生方法と同様の手順により、チューブ体２０を第一隙間Ｓ１に配置して膨張させて止水養生構造１が形成される（図１参照）。
このようにチューブ体２０や養生床１０を一体化させた状態で移設することで、組立、解体作業がなくなり、容易に移設作業を行うことができる。
【００２５】
上述した本実施の形態による開口の止水養生構造及び止水養生方法では、養生床１０に設けられた張出係止部材１１を開口周りの躯体２に載置するように係止させて開口Ｒの所定位置に養生床１０とチューブ体２０とを配置し、その後、チューブ体２０を膨張させて躯体２の開口側端面２ａに密着させることで、開口Ｒを密閉状態で止水養生することができる。このように設置、移設作業が簡略化されたことで、従来のように複数の部材を開口部で組み立てるような止水養生を行なう必要がなくなる。このため、移設作業における手間と時間を削減でき、工期に与える影響を少なくすることができる。さらに、頻繁に移設を繰り返すことができるため、仕上げ工事の開始を早めるといった効果を奏する。
また、止水養生構造１の設置や移設における作業は、例えば吊上げ設備を用いて所定の箇所に配置するだけの作業であり、開口部で組立作業や解体作業を行うことなく移設できることから、危険作業がなくなり、作業の安全性を向上させることができる。
【００２６】
次に、実施の形態の変形例について、図６に基づいて説明するが、上述の実施の形態と同一又は同様な部材、部分には同一の符号を用いて説明を省略し、実施の形態と異なる構成について説明する。
図６は実施の形態の変形例による止水養生構造の移設方法を示す側面図である。
図６に示すように、止水養生構造１の移設時において、実施の形態による止水養生構造１の移設時に使用した移設手段をなすクレーンに代えてエレベータ５０（移設手段、昇降設備）を用いて移設するものである。ここで、図１に示す養生床１０、チューブ体２０及び止水部材３０から概略構成される止水養生構造１については、実施の形態と同様の構成である。
変形例による移設方法では、エレベータ用の開口Ｒにおいて、エレベータ５０の頂部５０ａにリフト式の昇降装置５１を設置し、この昇降装置５１の下降位置においてその上端５１ａに養生床１０を固定する。そして、エレベータ５０を所定の箇所まで上昇させ、昇降装置５１を下降位置から上昇させ、養生床１０を移設先の上方の第二開口Ｒ２の所定位置に配置させる。本変形例では、実施の形態と同様に開口部において組立や解体作業が発生しないため、移設作業が簡略化され、短時間で、且つ手間をかけずに移設することができる。
【００２７】
以上、本発明による開口の止水養生構造及び止水養生方法の実施の形態及び変形例について説明したが、本発明は上記の実施の形態及び変形例に限定されるものではなく、その趣旨を逸脱しない範囲で適宜変更可能である。
例えば、本実施の形態及び変形例では養生床１０の外周をなす四辺のうち三辺にチューブ体２０を配置させ、一辺に止水部材３０を配置させているが、このような配置形態に限定されることはなく、例えば養生床１０の全周にわたってチューブ体２０を配置させるようにしてもよい。要は、養生床の両側に設けられる一対の隙間のうち少なくともどちらか一方の隙間にチューブ体２０が設けられればよいのである。
また、開口Ｒの形状、大きさは本実施の形態及び変形例のように平面視四角形状であることに限定されず、例えば平面視円形の開口であっても適用することができる。その場合、養生床の形状を円形の開口に合わせて製作し、その養生床の外周にチューブ体を配置させるようにすればよい。
【図面の簡単な説明】
【００２８】
【図１】本発明の実施の形態による止水養生構造を示す平面図である。
【図２】図１に示す止水養生構造のＡ−Ａ線断面図である。
【図３】止水養生構造の断面図であって（ａ）は図１に示すＢ−Ｂ線断面図、（ｂ）は図１に示すＣ−Ｃ線断面図である。
【図４】チューブ体の配置状態を示す平面図である。
【図５】チューブ体の設置状態を示す拡大断面図である。
【図６】実施の形態の変形例による止水養生構造の移設方法を示す側面図である。
【符号の説明】
【００２９】
１  止水養生構造
２  躯体
１０  養生床
１１  張出係止部材
２０  チューブ体
２０Ａ  単体チューブ体
３０  止水部材
４０  連結部材
５０  エレベータ（移設手段、昇降設備）
Ｒ  開口
Ｓ１  第一隙間
Ｓ２  第二隙間
【図１】
0004716223.tif 000002
【図２】
0004716223.tif 000003
【図３】
0004716223.tif 000004
【図４】
0004716223.tif 000005
【図５】
0004716223.tif 000006
【図６】
0004716223.tif 000007